(57)【要約】【課題】異なる仕様のダクトを形成するため、流し込み構造部分に埋設する埋設物のため、製造簡単かつ安価であり、異なる厚さの構造部分にも適用できる延長構造を得る。【解決手段】建設する構造部分、たとえば、天井２の流し込みに埋設することができ、配管、ケーブル等のダクトを形成する埋設物、たとえば、ダクト管３もしくは防火スリーブのための延長構造であって、とくに、埋設物３の長さＬと仕上がり構造部分２の厚さＤとの差Ｅを橋渡しする延長構造１において、延長構造１を、平板材料６と、少なくとも１個の固定素子７と、少なくとも１個の止着素子８とにより構成する。平板材料６は、展開状態ではほぼ矩形の平板とする。平板材料６を固定素子７によってダクト管３の遊端９の領域に固定し、平板材料６をダクト管３の遊端９の周りに巻き付け、平板材料６の遊端１０は、平板材料６自体に止着素子８によって止着する。【選択図】図１
2005083190.tif 000002
【特許請求の範囲】
【請求項１】
建設する構造部分（２）の流し込みに埋設することができ、配管、ケーブル等のダクトを形成する埋設物（３３）のための延長構造であって、とくに、埋設物（３；１３；３３）の長さ（Ｌ）と仕上がり構造部分（２）の厚さ（Ｄ）との差（Ｅ）を橋渡しする延長構造において、延長構造（１；１１；３１；４１；５１）を、平板材料（６；１６；３６；４６；５６）と、少なくとも１個の固定素子（７；４７；５７）と、少なくとも１個の止着素子（８；１８；４８；５８）とにより構成したことを特徴とする延長構造。
【請求項２】
前記延長構造（１１）を埋設物としての防火スリーブ（１３）に設けた請求項１記載の延長構造。
【請求項３】
前記平板材料（６；１６；３６；４６）を、展開状態ではほぼ矩形の平板とした請求項１または２記載の延長構造。
【請求項４】
前記平板材料（６；１６；３６；４６）の厚さを０．１ｍｍ〜１．５ｍｍの範囲、好適には、０．５ｍｍ〜１．０ｍｍとした請求項１乃至３のうちのいずれか一項に記載の延長構造。
【請求項５】
前記平板材料（６；１６；３６；４６）を合成材料により形成した請求項１乃至４のうちのいずれか一項に記載の延長構造。
【請求項６】
前記平板材料（４６）に補強素子、好適には、リブ（４２）および／または窪み（４３）を設けた請求項１乃至５のうちのいずれか一項に記載の延長構造。
【請求項７】
少なくとも１個の固定素子（７；４７；５７）および／または少なくとも１個の止着素子（８；４８；５８）を、接着細条により構成した請求項１乃至６のうちのいずれか一項に記載の延長構造。
【請求項８】
前記平板材料（５６）に目盛り（５２）および目盛り（５２）に直交する方向の目盛り（５３）を設けた請求項１乃至６のうちのいずれか一項に記載の延長構造。
【請求項９】
建設する構造部分（２）の流し込みに埋設することができ、配管、ケーブル等のダクトを形成する埋設物（３３）のための延長構造を設ける方法であって、とくに、埋設物（３；１３；３３）の長さ（Ｌ）と仕上がり構造部分（２）の厚さ（Ｄ）との差（Ｅ）を橋渡しする延長構造形成方法において、平板材料（６；１６；３６；４６；５６）を少なくとも１個の固定素子（７；４７；５７）により前記埋設部（３；１３；３３）の遊端に固定し、埋設物の周りに巻き付け、平板材料の両側の端縁相互を少なくとも１個の止着素子（８；１８；４８；５８）により止着して延長構造（１；１１；３１；４１；５１）を形成すること特徴とする延長構造形成方法。
【発明の詳細な説明】
【技術分野】
【０００１】
本発明は、建設する構造部分の流し込みに埋設することができ、配管、ケーブル等のダクトを形成する埋設物のための延長構造であって、とくに、埋設物の長さと仕上がり構造部分の厚さとの差を橋渡しする延長構造に関するものである。さらに、本発明は、このような延長部分の形成方法に関するものである。
【背景技術】
【０００２】
建造物のプランニングおよび建設の際に、壁、床および天井に配管するための貫通ダクトを多数設けておき、建設の後工程で、もしくは拡張計画時に、配管、ケーブル等を引き込むことが行われる。このようにすることによって、配管、ケーブル等が早い建設段階で損傷を受けることを回避する。例えば、コンクリートの厚さにダクトを貫通させるには、あらかじめ型枠設置作業中に、型枠の所定位置にボックス状または管状の埋設物を固定し、コンクリート厚さの型枠内に流し込む。この埋設物はコンクリート厚さ内に残存し、通常はコンクリートの厚さの片側から僅かに突出させ、コンクリートがダクト内に進入するのを防止する。この場合、埋設物は構造部分の外側輪郭から大幅に突出させないため、床コーティングの塗布や、断熱材の取付を妨げない。
【０００３】
平面図で見て多くの角があるダクトを形成するためのボックス形埋設物に関しては、例えば、建設現場で、埋設物に対応する所望の断面形状と厚さの板張り枠として構造部分に形成する。この方法は、たしかに段取りにおいて融通性があるが、時間がかかり、人件費もかさむ。コストを低減するため、あらかじめボックス形に形成した埋設物が知られており、この予形成ボックス形埋設物を構造部分の型枠上に配置する。しかし、異なる断面形状のダクトおよび異なる壁厚に対しては、それらにそれぞれ対応する数多くの埋設物を必要とする。
【０００４】
管状ダクトを形成するためには、挿通する配管、ケーブル等の外径並びに構造部分の壁厚に対応する内径および長さを有する管状部分が知られている。国によって管の有効外径の公称直径が異なることを考慮すると、管状ダクトを形成するためには、それぞれ異なる内径を有する多数の埋設物を必要とする。
【０００５】
防火スリーブとして構成した埋設物によりダクトを形成するものが既知であり（例えば、特許文献１参照）、この埋設物は円筒形であり、所定の破断線に沿って除去可能なリングを多数設けてある。この埋設物によれば、所定の内径を有する基本タイプから、建設すべき構造部分の厚さに対応する長さになるまで対応する数のリングを除去する。しかし、構造部分の厚さが防火スリーブの基本タイプの長さよりも長い場合には、円筒形部分の遊端に、厚さの差分を橋渡しする円筒形補充アダプタを設けることができるようにしている。しかし、この技術は、多くの防火スリーブの円筒形部分を準備しておくことになり、多大な製造工程および製造コストを必要とする。更に、補充アダプタは、製造と物流上の在庫を準備するためコストがかさむことになる。さらに、異なる内径毎に多数のタイプを製造しておかなければならない。
【特許文献１】国際特許出願公開第０３／００６８６５号パンフレット
【０００６】
さらに、第１管状部分とこの第１管状部分に抜き差し可能に設けた第２管状部分とを有する管状の埋設物が知られている。（例えば、特許文献２参照。）これによって形成されるダクトは所定内径を有し、異なる壁厚の構造部分に管状ダクトを形成するのに使用することができる。しかし、異なる外径の管毎にこのような埋設物を必要とするという欠点がある。さらに、双方の管状部分の長さの合計の厚さに用途が限定される。
【特許文献２】米国特許第６，０６２，２６７号明細書
【発明の開示】
【発明が解決しようとする課題】
【０００７】
したがって、本発明の目的は、異なる仕様のダクトを形成するため、流し込み構造部分に埋設する埋設物のため、製造簡単であり、異なる厚さの構造部分にも適用できる延長構造を得るにある。さらに、製造コストが安価な延長構造を得るにある。
【課題を解決するための手段】
【０００８】
この目的を達成するため、本発明延長構造は、建設する構造部分の流し込みに埋設することができ、配管、ケーブル等のダクトを形成する埋設物のための延長構造であって、とくに、埋設物の長さと仕上がり構造部分の厚さとの差を橋渡しする延長構造において、延長構造を、平板材料と、少なくとも１個の固定素子と、少なくとも１個の止着素子とにより構成したことを特徴とする。
【発明の効果】
【０００９】
本発明によれば、少なくとも１個の固定素子によって、貫通ダクトを形成するための埋設物における型枠とは反対側の遊端に平板材料を固定し、この平板材料を埋設物の周囲に沿って案内し、巻き付けることができる。少なくとも１個の止着素子によって、多角形状もしくは管状の形態となった平板材料を止着する。平板材料の寸法は、一方では延長化する埋設物の平面図でみた寸法と、他方では埋設物の遊端と構造部分の厚さとの差を橋渡しする差分とにより決定される。しかし、埋設物の平面図で見た仕様は、本発明による延長化構造にはほとんど影響しない。埋設物は、平面図で見た仕様が多角形であっても、円形であっても、楕円形であってもかわまない。
【発明を実施するための最良の形態】
【００１０】
既知の埋設物は、端部に閉鎖面、もしくは蓋を設けることがよくある。このような閉鎖面もしくは蓋は、本発明による延長構造を形成した後に、延長構造の遊端に配置することができ、これにより、延長構造を補強することがきでる。
【００１１】
好適には、延長構造を防火スリーブに配置することができる。貫通ダクトは、火災が起きた際に、火が燃え広がる危険性があり得る。貫通ダクトを経て短時間に火が燃え広がるのを防止するため、防火スリーブには、火災の際に膨張可能な物質を収容する少なくとも１個の管状部分または収容部分を設け、この物質が膨張する際にダクトを塞ぐようにする。本発明による延長構造によれば、標準の防火スリーブを構造部分の内部にも配置することができ、この標準防火スリーブの長さよりも大きい壁厚にも設ける。
【００１２】
好適な実施例においては、平板材料をほぼ矩形の平板とする。この矩形の形態によれば、埋設物の周囲に沿って巻き付けた延長構造は、構造部分の厚さにわたり一様な強度を付与することができる。他の実施例として、平板材料を台形の平板とすることができる。この場合、台形の短辺側を埋設物の遊端側に配置する。台形の長辺側が延長構造の遊端側にくるようにし、延長構造の遊端側において埋設物の遊端側よりも平板材料がオーバーラップする領域が大きくなるようにし、延長構造の遊端側に大きな強度をもたせるようにすると好適である。
【００１３】
好適な実施例においては、平板材料の厚さを０．１ｍｍ〜１．５ｍｍの範囲、より好適には、０．５ｍｍ〜１．０ｍｍとする。材料の厚さは、一方では平板材料を埋設物の周囲に配置する際の変形可能性によって決定され、また他方では取り付けた延長構造の剛性もしくは安定性によって決定される。埋設物の遊端と、構造部分の壁厚との差を橋渡しする差分が大きければ大きいほど、平板材料の厚みを大きくすると好適である。平板材料の厚みに関する他の決定要因は、現場で平板材料を短くする可能性があるか否かである。あらかじめ形成した延長構造は、平板材料を随意に巻き付け、この延長構造を少なくとも１個の固定素子並びに少なくとも１個の止着素子によって組み立てる。この平板材料は、例えば、現場で所要の形状に短くしたり、多くの平板材料を互いに重ね合わせて所要の寸法に同時に切断することがある。
【００１４】
本発明の好適な実施例においては、前記平板材料を合成材料により形成する。合成材料は、変形性がとくにすぐれている。さらに、材料の厚さが小さくても高い剛性を示す合成材料も知られている。また、平板材料を製造するために金属フォイルを使用することもできる。
【００１５】
好適には、平板材料に補強素子を設ける。この補強素子によって、埋設物の遊端と構造部分の壁厚との大きな差を橋渡しする際に、延長構造の形状安定性を保証することができる。この補強素子は、平板材料に設ける例えば、リブまたは窪みとすることができる。さらに、補強素子として、平板材料にリブ並びに窪みの双方を設けることもできる。
【００１６】
好適には、少なくとも１個の固定素子および／または少なくとも１個の止着素子を、接着細条により構成する。この接着細条には保護フォイルに設け、固定素子および／または止着素子を使用する際に剥がすものとすると好適である。平板材料に設ける少なくとも１個の固着素子は、埋設物の遊端領域に接着する。平板材料を埋設物の周囲に沿って案内したのち、少なくとも１個の止着素子の保護フォイルを剥がし、平板材料のオーバーラップ部分を平板材料自体に接着して止め合わせる。他の実施例においては、止着素子の一方をさかとげ状部分により構成し、このさかとげにからまる対向部分を平板材料に設けて互いに互いに結合することができるようにする。
【００１７】
好適には、平板材料に目盛りを設け、随意に、この目盛りに直交する方向の目盛りを設ける。目盛りは、例えば、プリントもしくは接着した定規として構成することができる。直交する方向の目盛りを平板材料に設けると、目盛り方向の長さを正確に短くすることができるとともに、この目盛り方向に直交する方向の長さも正確に短くすることができる。平板材料における目盛りまたはこの目盛りに直交する方向の目盛りは、ヨーロッパ向けにメートル刻みとし、またアングロアメリカ向けにインチ刻みとし、またはそれらの組み合わせとすることができる。これにより、本発明による延長構造は使い勝手がよくなる。
【００１８】
次に、図面につき本発明の好適な実施例を説明する。
【実施例１】
【００１９】
図１（ａ）は、本発明による管延長化構造の第１実施例における部分的な取付状態を示し、図１（ｂ）は、取付を完成した状態を示す。天井２に配管するため、流し込み材料に埋設してダクトを形成する埋設物としてのダクト管３を型枠４に固定する。ダクト管３の長さＬと、天井２の壁厚Ｄとの差Ｅを橋渡しする延長構造１をダクト管３に配置する。
【００２０】
この延長構造１は、合成材料の平板材料６を、例えば、接着細条により構成した１個の固定素子７と、例えば、接着細条により構成した３個の止着素子８とによって巻き付けて設ける。すなわち、まず、平板材料６を固定素子７によってダクト管３の遊端９の領域に固定する。つぎに、平板材料６をダクト管３の遊端９の周りに巻き付ける。平板材料６の長さＦおよびダクト管３の周長に応じて、取付状態の延長構造の状態は種々に変化する。平板材料６の遊端１０は、平板材料６自体に止着素子８によって接着する。平板材料６の幅Ｈは、延長構造１が、取付状態で、既定の天井の上方端縁から僅かに突出する程度に選択する。
【実施例２】
【００２１】
図２に示す本発明による第２実施例である埋設物としての防火スリーブ１３のための延長構造１１は、図１の（ａ）および（ｂ）に示した延長構造１とは、２個のさかとげ状止着素子１８を設けた点が異なる。平板材料１６の遊端２０を固定するため、さかとげ状止着素子のさかとげが絡みつく対向素子２１を設ける。
【実施例３】
【００２２】
型枠３４上に配置した埋設物としてのボックス形素子３３により矩形のダクトを構成する本発明延長構造３１の第３実施例を図３に示す。この実施例の平板材料３６は、ボックス形素子３３の周囲に沿って追随させ、最終的に、オーバーラップした領域を平板材料３６に接着によって止着する。延長構造３１を安定化するため、取付状態で、蓋３５を延長構造３１に装着する。さらに、この蓋３５は、建設段階で、ボックス形素子３３によって生ずるダクト内に異物が進入するのを防止する。
【実施例４】
【００２３】
図４および図５には本発明による延長構造４１の第４実施例の平板材料４６を示し、この実施例では、補強素子として作用するリブ４２および窪み４３を設け、これらリブおよび溝は、延長構造４１の幅Ｈに交差する方向に延在させる。この延長構造４１には、１個の固定素子４７と、４個の止着素子４８を設ける。合成材料で構成した平板材料４６の厚さｄは、図示の実施例では、０．８ｍｍとする。
【実施例５】
【００２４】
本発明による延長構造の第５実施例を図６に示す。延長構造５１の平板材料５６は、展開した状態では台形の平板であり、２個の固定素子５７と、４個の止着素子５８とを有する。さらに、この平板材料５６には、幅Ｈ方向に延在する目盛り５２と、これに直交する方向に延在する付加的な２個の目盛り５３を設ける。
【図面の簡単な説明】
【００２５】
【図１】埋設物としてのダクト管を延長化する本発明による第１実施例の延長化構造の説明図であり、ａは部分的に取り付けた状態を示し、ｂは取付状態を示す。
【図２】埋設物としての防火スリーブを延長化する本発明による第２実施例の延長構造の線図的説明図である。
【図３】埋設物としてのボックス形ダクトを延長する本発明による第３実施例の延長構造の線図的斜視図である。
【図４】補強素子を設けた本発明による第４実施例の延長構造の平面図である。
【図５】図４の延長構造の平板材料におけるＶ‐Ｖ線上の断面図である。
【図６】目盛りを設けた本発明による第５実施例の延長構造の平面図である。
【符号の説明】
【００２６】
１  延長構造
２  天井
３  ダクト管（埋設物）
４  型枠
６  平板材料
７  固定素子
８  止着素子
９  配管の遊端
１０  平板材料の遊端
１１  延長構造
１３  防火スリーブ（埋設物）
１６  平板材料
１８  さかとげ状止着素子
２０  平板材料の遊端
２１  対向素子
３１  延長構造
３３  ボックス形素子（埋設物）
３４  型枠
３５  蓋
３６  平板材料
４１  延長構造
４２  リブ
４３  窪み
４６  平板材料
４７  固定素子
４８  止着素子
５１  延長構造
５２  目盛り
５３  目盛り
５６  平板材料
５７  固定素子
５８  止着素子
【図１】
2005083190.tif 000003
【図２】
2005083190.tif 000004
【図３】
2005083190.tif 000005
【図４】
2005083190.tif 000006
【図５】
2005083190.tif 000007
【図６】
2005083190.tif 000008